(57)【要約】【課題】樹脂成形品を設けることなく、筐体内部の空間を２分割し、上下に部品を配置することができるようにする。【解決手段】サブ基板９に近い側にＳＩＭカード１１を収容し、サブ基板９に遠い側に表示プレート１４を収容可能なように仕切るホルダ部材１３をサブ基板９上に設ける。このホルダ部材１３をシート状材料を折り曲げてフォーミングされたフォーミングシートで構成し、ＳＩＭカード１１と表示プレート１４との間を仕切るシート本体１３ａと、シート本体１３ａからサブ基板９に向かって延び、ＳＩＭカード１１を収容する空間を形成するシート側板１３ｂと、シート側板１３ｂに連続し、折り曲げられてサブ基板９に当接する取付部１３ｃとを設ける。【選択図】図７
2015219711.tif 000002
【特許請求の範囲】
【請求項１】
収納可能な複数の部品を有する電子機器において、
上記複数の部品を出し入れするための部品用開口を有する筐体と、
上記筐体の内部に配置された被取付部と、
上記被取付部に取り付けられ、上記筐体の内部において、該被取付部に近い側に第１部品を収容し、該被取付部に遠い側に第２部品を収容可能なように仕切るホルダ部材とを備え、
上記ホルダ部材は、
シート状材料を折り曲げてフォーミングされたフォーミングシートよりなり、
上記第１部品と上記第２部品との間を仕切るシート本体と、
上記シート本体から上記被取付部に向かって延び、上記第１部品を収容する空間を形成するシート側板と、
上記シート側板に連続し、折り曲げられて上記被取付部に当接する取付部とを有する
ことを特徴とする電子機器。
【請求項２】
請求項１に記載の電子機器において、
上記取付部から、さらに折り曲げられて形成された、又は上記シート側板の一部を延長して形成された複数の引っ掛け部を有し、該複数の引っ掛け部が上記被取付部の周縁にそれぞれ引っ掛かっている
ことを特徴とする電子機器。
【請求項３】
請求項１に記載の電子機器において、
上記被取付部には、上記取付部に形成した突部が挿入される貫通孔が形成され、
上記ホルダ部材は、上記突部が上記貫通孔に挿通されて位置決めされて固定されている
ことを特徴とする電子機器。
【請求項４】
請求項１から３のいずれか１つに記載の電子機器において、
上記ホルダ部材は、上記取付部において上記被取付部に接着されている
ことを特徴とする電子機器。
【請求項５】
請求項１から４のいずれか１つに記載の電子機器において、
上記筐体には、上記ホルダ部材を上記被取付部に押さえ付けるリブが形成されている
ことを特徴とする電子機器。
【発明の詳細な説明】
【技術分野】
【０００１】
本発明は、複数の部品を収容可能な筐体を有する電子機器に関するものである。
【背景技術】
【０００２】
従来より、例えば、特許文献１のように、連設板によって筐体内部の空間を分割し、練設板の上下にそれぞれ部品を配置して空間を有効利用する技術が知られている。
【０００３】
また、射出成型の樹脂や板金をインサートした射出成型の樹脂によって筐体内部の空間を分割し、空間を有効利用する技術もある。
【先行技術文献】
【特許文献】
【０００４】
【特許文献１】特開２０１２−２２１７３４号公報
【発明の概要】
【発明が解決しようとする課題】
【０００５】
しかしながら、特許文献１の技術や、射出成型の樹脂によるものでは、連設板が筐体に相当するカバー部材と一体化しているので、連設板を薄くすることができず、セットが大型化する。板金をインサートした射出成型の樹脂によるもので、板金により内部空間を分割したものでは、空間を分割する部材を薄くできるものの、コストが高い。
【０００６】
本発明は、かかる点に鑑みてなされたものであり、その目的とするところは、樹脂成形品を設けることなく、空間を２分割して上下に部品を配置することができるようにすることができるようにすることにある。
【課題を解決するための手段】
【０００７】
上記の目的を達成するために、この発明では、空間を２分割するホルダ部材をフォーミングシートで構成した。
【０００８】
具体的には、本発明では、収納可能な複数の部品を有する電子機器を前提とする。
【０００９】
そして、上記電子機器は、
上記複数の部品を出し入れするための部品用開口を有する筐体と、
上記筐体の内部に配置された被取付部と、
上記被取付部に取り付けられ、上記筐体の内部において、該被取付部に近い側に第１部品を収容し、該被取付部に遠い側に第２部品を収容可能なように仕切るホルダ部材とを備え、
上記ホルダ部材は、
シート状材料を折り曲げてフォーミングされたフォーミングシートよりなり、
上記第１部品と上記第２部品との間を仕切るシート本体と、
上記シート本体から上記被取付部に向かって延び、上記第１部品を収容する空間を形成するシート側板と、
上記シート側板に連続し、折り曲げられて上記被取付部に当接する取付部とを有する構成とする。
【００１０】
上記の構成によると、シート状材料を折り曲げてフォーミングされたフォーミングシートよりなるホルダ部材を被取付部に設けることで、そのシート本体の上下に第１部品と第２部品とをそれぞれ配置できるので、従来のような樹脂成形品のホルダが不要となる。このため、金型費が不要となると共に、厚さが薄くなり、電子機器の厚さも抑えられる。
【発明の効果】
【００１１】
以上説明したように、本発明によれば、フォーミングシートで仕切りを作り、被取付部の上に第１部品と第２部品とを収容する空間を設けるようにしたので、従来の樹脂製のホルダで間仕切りとしていた構造をシート１枚で間仕切りとすることができ、樹脂成形品等よりなるホルダも不要となるため、薄型化を図ることができると共に、従来から採用している樹脂ホルダの金型が不要なため、従来よりも製造コストを低減することができる。
【図面の簡単な説明】
【００１２】
【図１】サブ基板及びその周辺を拡大して示し、（ａ）が背面側から見た斜視図で、（ｂ）が正面側から見た斜視図である。
【図２】本発明の実施形態に係る携帯電話機及びその一部を拡大して示す斜視図である。
【図３】携帯電話機を示す分解斜視図である。
【図４】図３のIV部拡大斜視図である。
【図５】（ａ）及び（ｂ）は、ホルダ部材及び両面テープをそれぞれ別の方向から見た斜視図である。
【図６】図２のVI−VI線拡大断面図である。
【図７】図６のVII−VII線断面図である。
【図８】背面側キャビネットにおけるリブ及びその周辺を拡大して示す斜視図である。
【発明を実施するための形態】
【００１３】
以下、本発明の実施形態を図面に基づいて説明する。
【００１４】
図２及び図３は、本発明の実施形態に係る電子機器としての携帯電話機１を示し、この携帯電話機１は、例えば、正面に液晶表示部２が収容される正面側キャビネット３と、この正面側キャビネット３の背面側を覆う背面側キャビネット４と、その背面を覆うリアカバー５とを備えている。これら正面側キャビネット３、背面側キャビネット４及びリアカバー５とで筐体が構成されている。正面側キャビネット３と背面側キャビネット４との間には、矩形板状の充電池６やメイン基板７が収容されている。メイン基板７の上方には、被取付部としてのサブ基板９が設けられ、フレキシブル基板８でメイン基板７に接続されている。
【００１５】
図１、図４及び図６に拡大して示すように、サブ基板９の背面側には、第１部品としてのＳＩＭカード１１を脱着可能なＳＩＭソケット１０が設けられている。なお、このＳＩＭソケット１０のサブ基板９を挟んで反対側には、ＳＤカード１２を脱着可能なカードソケット１２ａが設けられている。これらＳＩＭカード１１、ＳＤカード１２等は、図２に拡大して示すように、正面側キャビネット３の上端に設けた部品用開口３ａから出し入れ可能となっている。なお、通常時は、部品用開口３ａは、防水カバー１６（図６に示す）で覆われている。
【００１６】
そして、図１、図６及び図７に示すように、サブ基板９には、このサブ基板９に近い側にＳＩＭカード１１を収容し、サブ基板９に遠い側に第２部品としての表示プレート１４を収容可能なように仕切るホルダ部材１３が設けられている。表示プレート１４の表面には、製造番号等の重要情報が記載された表示シール１４ａが貼り付けられている。このホルダ部材１３は、図５にも示すように、シート状材料を切断後、折り曲げてフォーミングされたフォーミングシートよりなる。シート状材料は、例えば、ＰＥＴ（ポリエチレンテレフタレート）樹脂、ＰＣ（ポリカーボネート）樹脂等よりなり、加熱した金属製の治具等で折り曲げられる。ホルダ部材１３は、ＳＩＭカード１１と表示プレート１４との間を仕切るシート本体１３ａと、このシート本体１３ａからサブ基板９に向かって延び、ＳＩＭカード１１を収容する空間を形成する一対のシート側板１３ｂとを備えている。図７にも示すように、シート側板１３ｂのシート本体１３ａからの高さは、ＳＩＭソケット１０の厚さよりも若干高い。ＳＩＭカード１１の挿入側と反対側（携帯電話機１の反対側）にもシート側板１３ｂを設けてもよい。シート側板１３ｂには、左右に広がるように折り曲げられてサブ基板９に当接する取付部１３ｃが連続して設けられている。本実施形態では、取付部１３ｃは、サブ基板９の形状に合わせて形成され、図５（ｂ）に示すように、そのサブ基板９との当接面には、両面テープ１５が貼り付けられている。これにより、サブ基板９に確実に接着されると共に、サブ基板９に接着されることで、箱型となり、ホルダ部材１３の剛性が高まる。なお、両面テープ１５ではなく、接着材でサブ基板９に貼り付けてもよい。
【００１７】
取付部１３ｃにおけるサブ基板９の周縁に位置する部分には、さらに折り曲げられた複数の（本実施形態では、３片の）引っ掛け部１３ｄが形成されている。これらの引っ掛け部１３ｄは、サブ基板９の周縁に引っ掛かることにより、ホルダ部材１３をサブ基板９に貼り付けるときの位置決めとなると共に、ホルダ部材１３の位置ずれ防止部材となる。
【００１８】
一方、図７及び図８に示すように、背面側キャビネット４には、ホルダ部材１３をサブ基板９に押さえ付けるリブ４ａが正面側へ延びるように形成されている。このリブ４ａでしっかりとホルダ部材１３を押さえ付けることで、取付部１３ｃが剥がれにくくなると共に、シート本体１３ａとシート側板１３ｂとで形成される角部の一部を押さえられ、ホルダ部材１３の剛性がさらに向上する。また、シート本体１３ａと、リブ４ａを含む背面側キャビネット４とで囲まれた領域内で表示プレート１４が安定してスライド移動するので、従来のように堅固な樹脂成形品のホルダ部材を設ける必要がなくなる。
【００１９】
したがって、本実施形態に係る携帯電話機１によると、従来の樹脂製ホルダで間仕切りとしていた構造をフォーミングシートよりなるホルダ部材１３のみで間仕切りとすることができ、薄型化を図ることができる。また、従来から採用している樹脂ホルダの金型が不要なため、従来よりも製造コストを低減させることができる。
【００２０】
（その他の実施形態）
本発明は、上記実施形態について、以下のような構成としてもよい。
【００２１】
すなわち、上記実施形態では、被取付部をサブ基板９で構成したが、被取付部は、メイン基板７でもよく、また筐体の一部でもよい。
【００２２】
上記実施形態では、第１部品をＳＩＭカード１１とし、第２部品を表示プレート１４としたが、これらは筐体内に収容する部品であれば特に限定されない。
【００２３】
また、詳しくは図示しないが、取付部１３ｃに引っ掛け部１３ｄのようにサブ基板９側へ延びる突部を形成すると共に、この突部を挿入する貫通孔をサブ基板９に設けてもよい。そうすれば、引っ掛け部１３ｄによってサブ基板９の周縁に引っ掛けるようなことができない場合でも、突部を貫通孔に挿通することでホルダ部材１３の位置決め及び固定が容易となる。
【００２４】
また、上記実施形態では、引っ掛け部１３ｄは、取付部１３ｃの周縁部に設けられるとしたが、取付部１３ｃの一部をカットし、シート側板１３ｂを延長する形で設けてもよい。
【００２５】
上記実施形態では、電子機器は、携帯電話機１としたが、タブレット端末、ＰＨＳ（Personal Handy-phone System ）、ＰＤＡ(Personal Digital Assistant)、パソコン、モバイルツール、電子辞書、電卓、ゲーム機等であってもよく、小型の液晶ディスプレイ、液晶テレビ、ブルーレイディスクレコーダ、ＤＶＤレコーダ等であってもよい。
【００２６】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００２７】
１      携帯電話機（電子機器）
２      液晶表示部
３      正面側キャビネット（筐体）
３ａ    部品用開口
４      背面側キャビネット（筐体）
４ａ    リブ
５      リアカバー（筐体）
６      充電池
７      メイン基板
８      フレキシブル基板
９      サブ基板（被取付部）
１０      ＳＩＭソケット
１１      ＳＩＭカード（第１部品）
１２      ＳＤカード
１２ａ    カードソケット
１３      ホルダ部材
１３ａ    シート本体
１３ｂ    シート側板
１３ｃ    取付部
１３ｄ    引っ掛け部
１４      表示プレート（第２部品）
１４ａ    表示シール
１５      両面テープ
１６      防水カバー
【図１】
2015219711.tif 000003
【図２】
2015219711.tif 000004
【図４】
2015219711.tif 000005
【図５】
2015219711.tif 000006
【図６】
2015219711.tif 000007
【図７】
2015219711.tif 000008
【図８】
2015219711.tif 000009
【図３】
2015219711.tif 000010